(57)【要約】【課題】家族で共有するコンピュータシステムの利便性を高める。【解決手段】コンピュータシステム１０は、家族で共有して用いられる。関連設定記憶部５４は、利用者の成長段階に応じて当該コンピュータシステムの機能を利用できる範囲を変化させるために、機能とその機能を利用可能な成長段階との関連の設定を記憶する。機能範囲設定処理部２０は、家族構成員の成長段階の変化を検出し、関連設定記憶部を参照して、変化後の家族構成員の成長段階に応じて当該家族構成員が利用可能な機能範囲を変化させる。【選択図】        図１
2004310552.tif 000002
【特許請求の範囲】
【請求項１】
家族で共有するコンピュータシステムであって、
利用者の成長段階に応じて当該コンピュータシステムの機能を利用できる範囲を変化させるために、前記機能とその機能を利用可能な成長段階との関連の設定を記憶する関連設定記憶部と、
家族構成員の成長段階の変化を検出し、前記関連設定記憶部を参照して、変化後の前記家族構成員の成長段階に応じて当該家族構成員が利用可能な機能範囲を変化させる機能範囲設定部と、
を含むことを特徴とするコンピュータシステム。
【請求項２】
請求項１に記載のコンピュータシステムにおいて、
前記家族構成員の年齢を把握するための情報を記憶する家族情報記憶部をさらに含み、
前記機能範囲設定部は、前記家族情報記憶部を参照して、前記家族構成員の年齢に基づき前記成長段階の変化を検出することを特徴とするコンピュータシステム。
【請求項３】
請求項１または２に記載のコンピュータシステムにおいて、前記機能範囲設定部がいずれかの前記家族構成員の前記成長段階の変化を検出したとき、当該ホームシステムの管理者に前記家族構成員が利用可能な機能範囲を変更するか否かを確認する通知を行う通知部と、
前記管理者から指示を受け付ける指示受付部と、
をさらに含み、
前記機能範囲設定部は、前記管理者の指示に従い、前記家族構成員が利用可能な機能範囲を定めることを特徴とするコンピュータシステム。
【請求項４】
請求項１乃至３いずれかに記載のコンピュータシステムにおいて、
前記機能範囲設定部は、前記家族内の他の家族構成員には非公開とされた非公開領域を設定する領域設定部を含み、前記家族構成員の前記成長段階に応じて、前記家族構成員に前記非公開領域を設定することを特徴とするコンピュータシステム。
【請求項５】
家族で共有するコンピュータシステムの機能を利用できる範囲を利用者の成長段階に応じて変化させるために、前記機能とその機能を利用可能な成長段階との関連の設定を取得する工程と、
家族構成員の成長段階の変化を検出する工程と、
変化後の前記家族構成員の成長段階に応じて、前記関連の設定を考慮して当該家族構成員が利用可能な前記機能の範囲を変化させる工程と、
をコンピュータに実行させることを特徴とするプログラム。
【発明の詳細な説明】
【０００１】
【発明の属する技術分野】
この発明は家族で共有するコンピュータシステムに関する。
【０００２】
【従来の技術】
従来、コンピュータの高性能化に伴い、家庭内でもコンピュータを利用したネットワーク化が行われている。このような家庭内でのネットワーク化はホームサーバにより行われる（たとえば特許文献１）。ホームサーバは、家庭内の情報機器や家電製品を統括的に管理する。
【０００３】
【特許文献１】
特開２００２−１８９８５２号公報
【０００４】
【発明が解決しようとする課題】
しかし、従来のホームサーバにおいては、ホームサーバに接続された家電製品の管理をどのように行うかという点が開発の目的とされており、ホームサーバを利用する家族自体の特性を考慮した工夫は行われていなかった。
【０００５】
本発明者はそうした点に着目して本発明をなしたものであり、その目的は、家庭用のコンピュータシステムを家族の特性に応じて利便性よく利用するための技術の提供にある。
【０００６】
【課題を解決するための手段】
本発明によれば、家族で共有するコンピュータシステムであって、利用者の成長段階に応じて当該コンピュータシステムの機能を利用できる範囲を変化させるために、機能とその機能を利用可能な成長段階との関連の設定を記憶する関連設定記憶部と、家族構成員の成長段階の変化を検出し、関連設定記憶部を参照して、変化後の家族構成員の成長段階に応じて当該家族構成員が利用可能な機能範囲を変化させる機能範囲設定部と、を含むことを特徴とするコンピュータシステムが提供される。
【０００７】
ここで、機能には、各家族構成員に設定される個人用の領域、各領域へのアクセス権、アプリケーション等の利用権限、各アプリケーションの各機能の利用権限、および各家族構成員に提示される画面の提示情報等が含まれる。機能の範囲とは、たとえば、領域の種類や大きさ、利用権限を有するアプリケーションやその機能の数である。領域の種類には、他の家族構成員にも公開された公開領域と他の家族構成員には非公開とされた非公開領域が含まれる。
【０００８】
このようにすれば、成長段階に応じて家族が利用可能な機能を変化させることができ、家族の特性に応じて、コンピュータシステムを利便性よく利用することができる。
【０００９】
本発明のコンピュータシステムにおいて、家族構成員の年齢を把握するための情報を記憶する家族情報記憶部をさらに含むことができ、機能範囲設定部は、家族情報記憶部を参照して、家族構成員の年齢に基づき成長段階の変化を検出することができる。
【００１０】
このようにすれば、時間の経過とともに、各家族構成員が利用可能な機能の範囲を変化させることができる。家庭において、たとえば子供の成長段階に応じて、どの段階でどのような機能を利用可能とするかは、その家族の教育方針に依存する。本発明によれば、関連設定記憶部に、家族構成員の成長段階とその成長段階に到達したときに利用可能とする機能とを関連付けて記憶することができるので、家族の教育方針に基づき、それぞれ最適な設定を行うことができる。
【００１１】
本発明のコンピュータシステムは、機能範囲設定部がいずれかの家族構成員の成長段階の変化を検出したとき、当該ホームシステムの管理者に家族構成員が利用可能な機能範囲を変更するか否かを確認する通知を行う通知部と、管理者から指示を受け付ける指示受付部と、をさらに含むことができる。ここで、機能範囲設定部は、管理者の指示に従い、家族構成員が利用可能な機能範囲を定めることができる。
【００１２】
これにより、年齢だけでなく、実際の成長段階をも考慮して各家族構成員が利用可能な機能範囲を定めることができる。また、家庭の教育方針が変わった場合にも柔軟に対応することができる。
【００１３】
本発明のコンピュータシステムにおいて、機能範囲設定部は、家族内の他の家族構成員には非公開とされた非公開領域を設定する領域設定部を含むことができ、家族構成員の成長段階に応じて、家族構成員に非公開領域を設定することができる。
【００１４】
これにより、子供がある程度大きくなると個室を与えたりその個室に鍵を付けさせたりするのと同様に、コンピュータシステムの領域についても、子供の成長に応じてその子供用の非公開領域を設定することができる。これにより、子供は成長に応じてコンピュータシステムにおいてもプライバシーを保つことができる。
【００１５】
本発明のコンピュータシステムは、家族構成員それぞれに提示する画面構成を定義する定義情報を記憶する定義情報記憶部と、定義情報に基づき、画面を提示する提示処理部と、をさらに含むことができる。ここで、機能範囲設定部は、家族構成員が利用可能な機能範囲に応じて、定義情報を書き換えることができる。
【００１６】
本発明のコンピュータシステムにおいて、機能範囲設定部は、家族構成員が増加したときに、増加した家族構成員の成長段階を把握するための情報の入力を受け付ける入力受付部をさらに含むことができ、当該家族構成員の成長段階に応じて当該家族構成員が利用可能な機能範囲を設定することができる。
【００１７】
本発明によれば、家族で共有するコンピュータシステムの機能を利用できる範囲を利用者の成長段階に応じて変化させるために、機能とその機能を利用可能な成長段階との関連の設定を取得する工程と、家族構成員の成長段階の変化を検出する工程と、変化後の家族構成員の成長段階に応じて、関連の設定を考慮して当該家族構成員が利用可能な機能の範囲を変化させる工程と、をコンピュータに実行させることを特徴とするプログラムが提供される。
【００１８】
なお、以上の構成要素の任意の組合せ、本発明の表現を方法、装置、システム、記録媒体、コンピュータプログラムなどの間で変換したものもまた、本発明の態様として有効である。
【００１９】
【発明の実施の形態】
図１は、本発明の実施の形態における家庭用のコンピュータシステム１０の構成図である。コンピュータシステム１０は、家族で共有して用いられ、家族の成長段階に応じて家族構成員それぞれが利用できる機能の範囲を変化する。本実施の形態において、家族の成長段階は、家族の年齢に基づき判断される。家族の成長段階に応じてどのような機能を利用可能とするかは、コンピュータシステム１０の管理者により予め定められる。ここで、管理者は、コンピュータシステム１０を利用する家族の世帯主等である。
【００２０】
コンピュータシステム１０の各構成要素は、ハードウエアコンポーネントで言えば、任意のコンピュータのＣＰＵ、メモリ、メモリにロードされた本図の構成要素を実現するプログラム、そのプログラムを格納するハードディスクなどの記憶ユニット、ネットワーク接続用インターフェースを中心に実現されるが、その実現方法、装置にはいろいろな変形例があることは、当業者には理解されるところである。これから説明する各図は、ハードウエア単位の構成ではなく、機能単位のブロックを示している。
【００２１】
コンピュータシステム１０は、入出力部１２、通信部１４、機能範囲設定処理部２０、機能提供処理部２２、および記憶部５０を含む。
【００２２】
入出力部１２は、キーボード等の入力手段やモニタ等の出力手段に接続され、コンピュータシステム１０のユーザからのデータの入力およびユーザへのデータの出力を行う。通信部１４は、ＬＡＮ等の家庭内ネットワークやたとえばインターネット等の家庭外ネットワークに接続されており、ネットワークを介してユーザからのデータの入力およびユーザへのデータの出力を行う。
【００２３】
機能範囲設定処理部２０は、家族構成員それぞれが利用可能な機能の範囲を設定する。機能範囲設定処理部２０は、変化検出部２４、設定制御部２６、領域設定部２８、権限設定部３０、画面構成設定部３２、入力受付部３４、通知処理部３６、および計時部３８を含む。
【００２４】
機能提供処理部２２は、機能範囲設定処理部２０が設定した機能の範囲に基づき、コンピュータシステム１０を利用する家族構成員それぞれに利用可能な機能を提供する処理を行う。機能提供処理部２２は、提示処理部４０、アクセス制御部４２、およびユーザ認証部４４を含む。
【００２５】
記憶部５０は、家族基礎情報記憶部５２、関連設定記憶部５４、ユーザ情報記憶部５５、領域情報記憶部５６、権限情報記憶部５８、定義情報記憶部６０、および提示情報記憶部６２を含む。
【００２６】
入力受付部３４は、コンピュータシステム１０の管理者からコンピュータシステム１０を利用する家族の情報を受け付ける。家族の情報は、たとえば、家族構成員の名前、生年月日、性別、続柄を含む。図示していないが、入力受付部３４は、自治体等が管理する外部の住民管理サーバから通信部１４を介して家族の情報を受け付けることもできる。
【００２７】
家族基礎情報記憶部５２は、入力受付部３４が受け付けた家族の情報を記憶する。家族基礎情報記憶部５２は、少なくとも、各家族構成員の年齢を把握するための基礎情報を記憶する。図２は、家族基礎情報記憶部５２のデータ構造の一例を示す図である。名前欄は、コンピュータシステム１０の家族構成員の名前、生年月日欄は家族構成員の生年月日、性別欄は家族構成員の性別、続柄欄は家族の関係、世帯主欄は世帯主か否かに関する情報をそれぞれ保持する。ここで、名前欄には、「山田春男」、「山田夏美」、「山田秋太」、「山田冬子」が記憶されている。「山田春男」は、生年月日が１９７１年５月２５日、性別は男性、父親、世帯主である。また、「山田夏美」は母親、「山田秋太」は長男、「山田冬子」は長女である。
【００２８】
図１に戻り、入力受付部３４は、管理者から、家族構成員がコンピュータシステム１０の各機能を利用可能となる成長段階と各機能との関連の設定を予め受け付ける。
【００２９】
関連設定記憶部５４は、入力受付部３４が受け付けた利用可能な機能と成長段階との関連の設定を記憶する。関連設定記憶部５４は、予めデフォルトで設定された利用可能な機能と成長段階との関連の設定を記憶することもできる。
【００３０】
図３は、関連設定記憶部５４のデータ構造の一例を示す図である。機能欄は、コンピュータシステム１０の機能に関する情報を保持する。成長段階欄は、機能欄の機能を利用可能とする家族構成員の成長段階を保持する。確認欄は、いずれかの家族構成員がいずれかの成長段階に到達したときに、その家族構成員に該当する機能を利用可能とする際に、管理者への確認が必要か否かに関する情報を保持する。通知欄は、いずれかの家族構成員に新たな機能を利用可能とした際に、管理者や各家族構成員への通知が必要か否かに関する情報を保持する。成長段階欄には、「誕生」、「４歳誕生日」、「小学校入学」、「中学校入学」、「高校入学」、および「２０歳誕生日」が記憶されている。機能欄には、「個人領域設定」、「ＩＤ／パスワード付与」、「個人領域閲覧／入力」、「全領域閲覧」、「外部接続」、「電子メールアドレス」、「個人非公開領域設定」、「外部接続時間制限」、および「管理権」が記憶されている。
【００３１】
図１に戻り、ユーザ情報記憶部５５は、家族構成員がコンピュータシステム１０を利用するのに必要なユーザ情報を記憶する。ユーザ情報記憶部５５は、家族構成員毎に、名前、ＩＤ、パスワード、現在の成長段階、管理権の有無等について記憶する。
【００３２】
図４は、ユーザ情報記憶部５５のデータ構造の一例を示す図である。名前欄は、家族構成員の名前を保持する。ＩＤ欄は各家族構成員に割り当てられたＩＤを保持する。パスワード欄はＩＤ欄のＩＤと対応付けられたパスワードを保持する。成長段階欄は、各家族構成員の成長段階に関する情報を保持する。ここで、成長段階欄は各家族構成員の年齢が記憶されている。管理権欄は、管理者か否かに関する情報をそれぞれ保持する。ここで、「山田春男」のＩＤは「ｈａｒｕ」で、パスワードは「ａｂｃｄ０１」で、成長段階は「３１」で、管理権を有する。
【００３３】
図１に戻り、変化検出部２４は、家族構成員それぞれの成長段階の変化を検出する。ここで、成長段階の変化とは、たとえば誕生日に年齢が上がった場合や、学校の入学や卒業等のイベント発生時である。計時部３８は時間の経過を検出する。変化検出部２４は、計時部３８により検出される時間の経過に基づき、家族構成員それぞれの成長段階の変化を検出することができる。
【００３４】
設定制御部２６は、変化検出部２４がいずれかの家族構成員の成長段階の変化を検出すると、関連設定記憶部５４を参照して、その変化により新たに利用可能とされる機能の有無を検出する。利用可能とされる機能がある場合、設定制御部２６は、領域設定部２８、権限設定部３０、および画面構成設定部３２を制御してその家族構成員が新たな機能を利用できるようにする。また、設定制御部２６は、関連設定記憶部５４を検出して、その機能を利用可能とする場合に管理者への確認が必要か否かを検出する。管理者への確認が必要な場合、設定制御部２６は、通知処理部３０にその旨を伝達する。通知処理部３０は、管理者への確認の通知を行う。
【００３５】
入力受付部３４は、管理者から確認の通知に対する指示をも受け付ける。設定制御部２６は、入力受付部３４が受け付けた管理者からの指示に従い、家族構成員へ新たな機能を利用可能とするか否かを決定する。設定制御部２６は、管理者が家族構成員に新たな機能の利用を認めると指示した場合、その機能に応じて、領域設定部２８、権限設定部３０、または画面構成設定部３２を制御して新たな機能の追加を行わせる。管理者が家族構成員に新たな機能の利用を認めないと指示した場合、入力受付部３４は、その家族構成員がどの成長段階に達したらその機能の利用を認めるかについて機能と成長段階の関連の設定を管理者から受け付ける。関連設定記憶部５４は、新たな関連の設定を記憶する。
【００３６】
領域設定部２８は、各家族構成員がそれぞれ利用可能な個人領域を設定する。領域設定部２８は、各家族構成員の成長段階に応じて、他の家族構成員に公開される公開個人領域と、他の家族構成員には非公開の非公開個人領域とを設定することができる。ここで、非公開個人領域は、コンピュータシステム１０の管理者にも非公開とされる。このような非公開個人領域は、たとえば各家族構成員にのみ付与された暗号鍵で保護されており、コンピュータシステム１０の管理者であってもアクセスできないように構成される。領域情報記憶部５６は、領域設定部２８が設定した個人領域に関する情報を記憶する。
【００３７】
権限設定部３０は、各家族構成員の個人領域へのアクセス権やアプリケーション等の利用権限を設定する。権限設定部３０は、アプリケーション毎に利用可能な機能等を設定することもできる。権限情報記憶部５８は、権限設定部３０が設定した権限に関する情報を記憶する。
【００３８】
画面構成設定部３２は、各家族構成員に利用可能とされた機能に応じて、各家族構成員に提示する画面の構成を定義する。定義情報記憶部６０は、画面構成設定部３２により定義された定義情報を記憶する。
【００３９】
たとえば、図３に示した関連設定記憶部５４の機能欄に記憶された機能のうち、「ＩＤ／パスワード付与」、「個人領域閲覧／入力」、「全領域閲覧」、「外部接続」、「電子メールアドレス」、「外部接続時間制限」、および「管理権」は、権限設定部３０により設定される。また、「個人領域設定」、および「個人非公開領域設定」は、領域設定部２８により設定される。
【００４０】
再び図１に戻り、提示情報記憶部６２は、各家族構成員に提示される画面情報を記憶する。提示処理部４０は、定義情報記憶部６０を参照して、家族構成員毎に定義情報を基に提示情報記憶部６２に記憶された情報を読み出し、定義情報に従い各家族構成員に提示する画面を提示する処理を行う。
【００４１】
ユーザ認証部４４は、ユーザからアクセスがあったときに、そのユーザからＩＤおよびパスワードの入力を受け付け、ユーザを認証する。
【００４２】
アクセス制御部４２は、ユーザからコンピュータシステム１０へのアクセスがあり、ユーザ認証部４４によりユーザが認証されると、各ユーザのＩＤに基づき、領域情報記憶部５６、権限情報記憶部５８、および定義情報記憶部６０を参照して該当する家族構成員に付与された機能を提供する。
【００４３】
次に、図１〜図３を参照して、機能範囲設定処理部２０の処理を具体的に説明する。
たとえば、コンピュータシステム１０を利用する家族に子供が誕生すると、管理者は、その子供の情報を家族基礎情報記憶部５２に記憶する。変化検出部２４は、この変化を検出する。設定制御部２６は、関連設定記憶部５４を参照し、この変化により新たに利用可能とされる機能の有無を検出する。ここで、図３の「誕生」には「個人領域設定」が対応付けられているため、設定制御部２６は、個人領域を設定するための処理を行う。管理者への確認は「不要」と設定されているため、設定制御部２６は、管理者への確認を行うことなく、領域設定部２８を制御してその子供用の個人領域を設定させる。このとき、子供自体には個人領域へのアクセス権はなく、子供の個人領域が他の家族に公開されたかたちで設定される。ここで、通知は「要」とされているため、通知処理部３６は、子供の個人領域が設定されたことを管理者に通知する。通知処理部３６は、管理者以外の他の家族にも通知を行うことができる。これにより、家族は子供の個人領域が設定されたことを知ることができ、その子供の個人領域に、たとえば子供の写真や成長記録、その他必要な情報を記憶する。
【００４４】
変化検出部２４は、計時部３８による時間の経過と家族基礎情報記憶部５２の子供の生年月日に基づき、子供の成長段階の変化を検出する。変化検出部２４が子供が４歳になったことを検出すると、設定制御部２６は、関連設定記憶部５４を参照して新たに利用可能とされる機能の有無を検出する。ここで、図３の「４歳誕生日」には、「ＩＤ／パスワード付与」、「個人領域閲覧／入力」、「全領域閲覧」が対応付けられているため、設定制御部２６は、これらの機能を設定するための処理を行う。ここで、これらの機能を利用可能とする際には、管理者への確認が「要」とされているため、通知処理部３６は、管理者への確認の通知を行う。管理者がこれらの機能を利用可能とすることを承認した場合、設定制御部２６は、権限設定部３０を制御してその子供にＩＤおよびパスワードを付与させ、個人領域の閲覧および入力、および全領域の閲覧を可能とさせる。これにより、その子供は自分のＩＤおよびパスワードを用いてコンピュータシステム１０にアクセス可能となる。この段階で、個人領域の閲覧および入力が可能となっているので、子供は自分の個人領域に含まれるデータを閲覧したりデータを入力することができる。また、全領域の閲覧が可能となっているので、他の家族構成員に共有の領域や公開個人領域のデータを閲覧することができる。全領域については閲覧のみが可能なため、家族構成員に共有の領域や公開個人領域にデータを入力することはできない。
【００４５】
一方、通知処理部３６が管理者への確認の通知を行った際に、管理者がこれらの機能を利用可能とすることを承認しなかった場合、入力受付部３４は、管理者から新たな関連の設定を受け付ける。
【００４６】
たとえば、図２に示した長男の「秋太」が４歳になったときに、管理者がこれらの機能を利用可能とすることを承認せず、「秋太」が小学生になったときにこれらの機能を利用可能とすると設定した場合、関連設定記憶部５４は、「秋太」用の関連の設定を記憶する。図５は、「秋太」用の関連の設定を示す図である。ここでは、「ＩＤ／パスワード付与」、「個人領域の閲覧／入力」および「全領域閲覧」は、小学校入学時に利用可能となるように設定されている。
【００４７】
管理者は、新たな関連の設定を行うときに、家族全員に適用されるように設定することもでき、また家族構成員毎に設定することもできる。また、図３には、家族構成員全員に適用される機能と成長段階との関連の設定を例示して示したが、関連設定記憶部５４は、図５に「秋太」用として示したように、最初から家族構成員毎に、それぞれ関連の設定を記憶することもできる。
【００４８】
図６は、本実施の形態におけるコンピュータシステム１０が、家族構成員の成長段階に応じて家族構成員が利用できるコンピュータシステム１０の機能の範囲を変化させる処理を行う手順を示すフローチャートである。
【００４９】
まず、入力受付部３４は、管理者から家族情報の入力を受け付ける（Ｓ１０）。これらの家族情報は家族基礎情報記憶部５２に記憶される。また、入力受付部３４は、管理者から、コンピュータシステム１０の種々の機能と、各機能を利用可能とする成長段階との関連の設定を受け付ける（Ｓ１２）。これらの関連の設定は、関連設定記憶部５４に記憶される。以上の処理により、初期設定が終了する。
【００５０】
変化検出部２４は、家族基礎情報記憶部５２に記憶された各家族構成員の生年月日、および計時部３８により検出される現在の年月日に基づき、家族構成員の成長段階の変化の有無を検出する（Ｓ１４）。変化検出部２４が家族構成員の成長段階の変化を検出すると（Ｓ１４のＹｅｓ）、設定制御部２６は、関連設定記憶部５４を参照してその家族構成員の成長段階の変化により、その家族構成員が利用可能な機能の範囲を変更する必要があるか否かを判断する（Ｓ１６）。家族構成員が利用可能な機能の範囲を変更する必要がある場合（Ｓ１６のＹｅｓ）、設定制御部２６は、関連設定記憶部５４を参照して、その機能の範囲を変更する際に管理者の確認が必要か否かを判断する（Ｓ１８）。管理者への確認が必要な場合（Ｓ１８のＹｅｓ）、通知処理部３０は管理者に確認通知を行う（Ｓ２０）。入力受付部３４は管理者からの指示を受け付け、管理者がその変更を承認した場合（Ｓ２２のＹｅｓ）、設定制御部２６は、領域設定部２８、権限設定部３０、または画面構成設定部３２を制御して対応する機能の追加、削除、制限等の処理を行わせる。該当する家族構成員が利用可能な機能の範囲を変更した後（Ｓ２４）、設定制御部２６は、関連設定記憶部５４を参照して、通知の要否を判断する（Ｓ２６）。通知が必要な場合（Ｓ２６のＹｅｓ）、通知処理部３０は、管理者に機能範囲を変更した旨の通知を行う（Ｓ２８）。このとき、通知処理部３０は、機能の範囲を変化した家族構成員へも機能範囲が変更されたことを通知することができる。これにより、その家族構成員は、自分が利用することが可能になった機能や制限されるようになった機能を知ることができ、利便性が高まる。
【００５１】
ステップ１４において家族構成員の成長段階に変化がない場合（Ｓ１４のＮｏ）、またはステップ１６において成長段階の変化により利用可能な機能の範囲を変更する必要がない場合（Ｓ１６のＮｏ）、ステップ１４に戻り、家族の成長段階が次に変化するまで待機する。また、ステップ２２において、管理者が変更を承認しなかった場合（Ｓ２２のＮｏ）、入力受付部３４は、管理者から新たな条件の入力を受け付け、関連設定記憶部５４に記憶する。
【００５２】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００５３】
設定制御部２６は、子供が結婚したり独立したりして別のコンピュータシステムを設定したときには、これまでその子供に割り当てられていた機能を分離して他のコンピュータシステムに移転する処理も行う。この場合であっても、設定制御部２６は、新たに設定されたコンピュータシステムからアクセス可能な領域を設定することができる。このような処理を繰り返すことにより、家族間のつながりを保つことができる。
【００５４】
【発明の効果】
本発明によれば、家庭用のコンピュータシステムを家族の特性に応じて利便性よく利用することができる。
【図面の簡単な説明】
【図１】本発明の実施の形態における家庭用のコンピュータシステムの構成図である。
【図２】家族基礎情報記憶部のデータ構造の一例を示す図である。
【図３】関連設定記憶部のデータ構造の一例を示す図である。
【図４】ユーザ情報記憶部のデータ構造の一例を示す図である。
【図５】関連設定記憶部のデータ構造の一例を示す図である。
【図６】本実施の形態におけるコンピュータシステムが、家族構成員の成長段階に応じて家族構成員が利用できるコンピュータシステムの機能の範囲を変化させる処理を行う手順を示すフローチャートである。
【符号の説明】
１０  コンピュータシステム、  １２  入出力部、  １４  通信部、  ２０  機能範囲設定処理部、  ２２  機能提供処理部、  ２４  変化検出部、  ２６  設定制御部、  ２８  領域設定部、  ３０  権限設定部、  ３２  画面構成設定部、  ３４  入力受付部、  ３６  通知処理部、  ３８  計時部、  ４０  提示処理部、  ４２  アクセス制御部、  ４４  ユーザ認証部、  ５０  記憶部、  ５２  家族基礎情報記憶部、  ５４  関連設定記憶部、  ５５  ユーザ情報記憶部、  ５６  領域情報記憶部、  ５８  権限情報記憶部、  ６０  定義情報記憶部、  ６２  提示情報記憶部。
【図１】
2004310552.tif 000003
【図２】
2004310552.tif 000004
【図３】
2004310552.tif 000005
【図４】
2004310552.tif 000006
【図５】
2004310552.tif 000007
【図６】
2004310552.tif 000008